(57)【要約】【課題】帯状体の長さ調節部において、帯状体の先端部が揺れ動いて邪魔になることを防止することができる帯状体の長さ調節部構造を提供する。【解決手段】帯状の右肩帯２と、右肩帯２の一方の端部に設けられた長さ調節バックル１６と、長さ調節バックル１６に長さ調節可能に留められた帯状の右前帯１４と、右前帯１４の他方の端部の先端部に固定された環状体１８とを備え、環状体１８には、右前帯１４の長さ調節バックル１６で留められた部分よりも一方の側の部分が挿通される。【選択図】図３
2016077571.tif 000002
【特許請求の範囲】
【請求項１】
第１帯状体と、
前記第１帯状体の一方の端部に設けられた調節バックルと、
前記調節バックルに長さ調節可能に留められた第２帯状体と、
前記第２帯状体の他方の端部の先端部に固定された環状体とを備え、
前記環状体には、前記第１帯状体、又は前記第２帯状体の前記調節バックルで留められた部分よりも一方の側の部分が挿通されることを特徴とする帯状体の長さ調節部構造。
【発明の詳細な説明】
【技術分野】
【０００１】
本発明は、帯状体の長さ調節部構造に関する。
【背景技術】
【０００２】
従来、帯状体の長さ調節部を備えるものとして、例えば、高い場所で作業する作業員（装着者）に命綱を付けて装着される所謂フルハーネス型の安全帯であり、装着者の両肩に夫々掛け回される一対の肩帯と、装着者の両腿に夫々巻き回される一対の腿帯とを備えるものが知られている（例えば、特許文献１参照）。
【０００３】
安全帯のように、帯状体を備えるものは、装着者の身体に合わせられるように折返バックルを介して帯状体の長さを調節する長さ調節部を備えるものも知られている。
【先行技術文献】
【特許文献】
【０００４】
【特許文献１】特開２００５−３４２３０８号公報
【発明の概要】
【発明が解決しようとする課題】
【０００５】
従来の帯状体の長さ調節部を備えるものにおいては、長さ調節部の帯状体の先端（自由端）が揺れ動き邪魔になるという問題がある。特に帯状体の長さを短く調節した場合には、帯状体の先端側（自由端側）の部分が長くなり問題が顕著である。また、帯状体の先端が他の部分に絡まる虞もあり、使用者は帯状体の先端が他の部分に絡まらないように注意する必要がある。
【０００６】
そこで、帯状体上を摺動可能な環状体を環状体上に配置し、帯状体の本体部分に先端部分（自由端部分）を環状体で留めることが考えられる。しかしながら、環状体は帯状体上を摺動できるものであるため、使用者が利用しているうちに環状体が帯状体の先端部分からずれてしまう虞があり、この場合、帯状体の先端が揺れ動いて邪魔になってしまうという問題が依然として発生することとなる。
【０００７】
本発明は、以上の点に鑑み、帯状体の長さ調節部において、帯状体の先端部が揺れ動いて邪魔になることを防止することができる帯状体の長さ調節部構造を提供することを目的とする。
【課題を解決するための手段】
【０００８】
上記目的を達成するため、本発明は、
第１帯状体と、
前記第１帯状体の一方の端部に設けられた調節バックルと、
前記調節バックルに長さ調節可能に留められた第２帯状体と、
前記第２帯状体の他方の端部の先端部に固定された環状体とを備え、
前記環状体には、前記第１帯状体、又は前記第２帯状体の前記調節バックルで留められた部分よりも一方の側の部分が挿通されることを特徴とする。
【０００９】
本発明によれば、第２帯状体が調節バックルを介して第２帯状体の側に折り返されている場合には、第２帯状体の先端部に設けられた環状体に、第２帯状体の調節バックルで留められた部分よりも一方の側の部分が挿通される。また、第２帯状体が調節バックルを介して折り返されることなく第１帯状体の側に延びている場合には、第２帯状体の先端部に設けられた環状体に、第１帯状体が挿通される。
【００１０】
また、環状部は第２帯状体の先端部に設けられており第２帯状体の先端部からずれることはない。従って、環状部によって第２帯状体の先端部が第１帯状体又は第２帯状体に常に沿うこととなり、第２帯状体の先端部が揺れ動いて邪魔になることを防止することができる。
【図面の簡単な説明】
【００１１】
【図１】本発明の帯状体の長さ調節部構造を適用した安全帯の実施形態を示す正面図。
【図２】本実施形態の安全帯を示す背面図。
【図３】本実施形態の帯状体の長さ調節部を示す側面図。
【図４】本実施形態の安全帯の腿帯を示す説明図。
【発明を実施するための形態】
【００１２】
図１から図４を参照して本発明の帯状体の長さ調節部構造を適用した安全帯の実施形態を説明する。図１に示すように、本実施形態の安全帯１は、高い場所で作業する作業員（装着者）に命綱を付けて装着される所謂フルハーネス型のものであり、装着者の両肩に夫々掛け回される一対の肩帯２，３と、装着者の両腿に夫々巻き回される一対の腿帯４，５と、装着者の腰に巻き回される腰帯６とを備える。
【００１３】
一対の肩帯２，３は、同一の帯状の帯状体で構成されており、帯状体の中央部を装着者の背中に位置する背面バックル７を介してＶ字状に折り返して構成される。背面バックル７はＤ環８（アンカーリング）の位置決めとしてのＤ環止めとしての機能を備える。また、本実施形態の背面バックル７では、Ｄ環８が一体に構成されて８字状となっている。
【００１４】
また、背面バックル７には、下方に垂下する背帯９が設けられている。背帯９の下方の端部には、連結環１０が設けられている。この連結環１０には、一対の腿帯４，５の後方部に両端が夫々摺動自在に連結される脚帯１１が設けられている。脚帯１１は、肩帯２，３と同様に、その中央部で連結環１０に連結されてＶ字状に折り返されている。
【００１５】
一対の肩帯２，３及び背帯９の上端部には、装着者との間で緩衝作用をもたらすＹ字状の肩パット１２が設けられている。これにより、背面バックル７が直接装着者に接触することを防止すると共に、装着者の肩にかかる負担を軽減させることができる。また、肩パット１２が肩帯２，３及び背帯９に沿ったＹ字状であるため、装着するときに肩帯２，３及び背帯９が捩れ難くなり装着が容易となる。
【００１６】
脚帯１１及び背帯９の下端部には、装着者との間で緩衝作用をもたらすＹ字状の腰パット１３が設けられている。これにより、連結環１０が装着者に直接接触することを防止できる。また、腰パット１３が脚帯１１及び背帯９に沿ったＹ字状であるため、装着するときに脚帯１１及び背帯９が捩れ難くなり、安全帯の装着が容易となる。
【００１７】
一対の腿帯４，５の前方部には、上方に向かって延びる左右一対の前帯１４，１５の下端が夫々固定されている。
【００１８】
肩帯２，３の端部には、前帯１４，１５の長さを調節自在に係止可能な長さ調節バックル１６が設けられている。
【００１９】
図３に示すように、長さ調節バックル１６で係止された前帯１４，１５の先端部は、下方に向かって折り返される。前帯１４，１５の先端部には、輪を作るように折り返されて縫合された輪部１７が設けられている。この輪部１７には合成樹脂製の環状体１８が挿入されている。これにより、環状体１８が前帯１４，１５の先端部から移動不能に固定される。
【００２０】
環状体１８には、長さ調節バックル１６から折り返された先端側の部分を除いた前帯１４，１５の本体部分が挿通されている。この環状体１８によって、長さ調節バックル１６で折り返された前帯１４，１５の先端部が前帯１４，１５の本体部分から離隔することを防止することができ、前帯１４，１５の先端部が自由に揺れ動くことを防止して、前帯１４，１５の先端部が邪魔となったり他の部分と絡まったりすることを防止することができる。
【００２１】
図４は、左腿帯５を示している。腿帯４，５は２つの帯状体で構成される。図４を参照して、左腿帯５の左側に位置する帯状体を左帯体１９、右側に位置する帯状態を右帯体２０とすると、左帯体１９の左の端部には、右帯体２０と連結するための第１連結具２１が設けられている。左帯体１９の右の端部には、左腿帯５の長さ調節のために右帯体２０と長さ調節自在に係止可能な腿調節バックル２２が設けられている。
【００２２】
右帯体２０の右の端部には、左帯体１９の第１連結具２１と連結する第２連結具２３が設けられている。右帯体２０の左側の端部には、折り返して輪を作るように縫合された輪部２４が設けられている。この輪部２４には、合成樹脂製の環状体２５が挿入されて固定されている。
【００２３】
環状体２５には、左帯体１９が挿入されている。この環状体２５によって、長さ調節用の腿調節バックル２２に係止された右帯体２０の左側の先端部である自由端が左帯体１９に沿うようにして係止され、右帯体２０の左側の先端部が、自由に揺れ動くことを防止し、他の部分に絡まることを防止することができる。右腿帯４は、左腿帯５と左右対称であることを除いて同一に構成される。
【００２４】
なお、本実施形態においては、腿帯４，５を、第１帯状体としての左帯体１９と、第２帯状体としての右帯体２０とで構成し、連結具２１，２２で連結したものを説明したが、本発明の第１帯状体と第２帯状体はこれに限らない。例えば、腿帯４，５を１つの帯状体で構成し、連結具２１，２２を設けず、第１帯状体と第２帯状体とを１つの帯状体としてもよい。この場合、１つの帯状体で構成される腿帯４，５には、装着者の脚を挿入するようにして装着すればよい。
【００２５】
本実施形態においては、右肩帯２、左肩帯３、左帯体１９が、本発明の第１帯状体に該当する。本実施形態においては、右前帯１４、左前帯１５、右帯体２０が、本発明の第２帯状体に該当する。本実施形態においては、長さ調節バックル１６、腿調節バックル２２が、本発明の調節バックルに該当する。
【符号の説明】
【００２６】
１  安全帯
２  右肩帯（第１帯状体）
３  左肩帯（第１帯状体）
４  右腿帯
５  左腿帯
６  腰帯
７  背面バックル
８  Ｄ環（アンカーリング）
９  背帯
１０  連結環
１１  脚帯
１２  Ｙ字状肩パット
１３  Ｙ字状腰パット
１４  右前帯（第２帯状体）
１５  左前帯（第２帯状体）
１６  長さ調節バックル（調節バックル）
１７  輪部
１８  環状体
１９  左帯体（第１帯状体）
２０  右帯体（第２帯状体）
２１  第１連結具
２２  腿調節バックル（調節バックル）
２３  第２連結具
２４  輪部
２５  環状体
【図１】
2016077571.tif 000003
【図２】
2016077571.tif 000004
【図３】
2016077571.tif 000005
【図４】
2016077571.tif 000006